(57)【要約】      （修正有）【課題】繰り返し体液を吸収しても凹溝の形状を維持して、逆戻りを抑えた吸収性物品を提供する。【解決手段】吸収体４の肌側面にパッド１の長手方向に延びる凹溝１０が形成されるとともに、凹溝１０内の側面及び底面に沿って、親水性の液透過性シートからなる凹溝変形抑制シート１１が配設される。少なくとも着用者の股間部に対応する領域において、凹溝変形抑制シート１１と凹溝１０の側面とを接合する側面接着剤層１２が設けられるとともに、凹溝変形抑制シート１１と凹溝１０の底面とを接合する底面接着剤層１３が設けられ、側面接着剤層１２は所定の領域に接着剤が全面塗布されて成るとともに、底面接着剤層１３は所定の領域に接着剤が間欠塗布されて成る。少なくとも着用者の股間部に対応する領域において、凹溝１０の底部の吸収体４が、高吸水性ポリマーの存在しないポリマー無配置領域１４とされている。【選択図】図２
2020044226.tif 000002
【特許請求の範囲】
【請求項１】
吸収体を備えた吸収性物品であって、
前記吸収体の肌側面に吸収性物品の長手方向に延びる凹溝が形成されるとともに、前記凹溝内の側面及び底面に沿って、親水性の液透過性シートからなる凹溝変形抑制シートが配設されており、
少なくとも着用者の股間部に対応する領域において、前記凹溝変形抑制シートと前記凹溝の側面とを接合する側面接着剤層が設けられるとともに、前記凹溝変形抑制シートと前記凹溝の底面とを接合する底面接着剤層が設けられ、前記側面接着剤層は所定の領域に接着剤が全面塗布されて成るとともに、前記底面接着剤層は所定の領域に接着剤が間欠塗布されて成り、
少なくとも着用者の股間部に対応する領域において、前記凹溝の底部の吸収体が、高吸水性ポリマーの存在しないポリマー無配置領域とされていることを特徴とする吸収性物品。
【請求項２】
前記吸収体が、下層吸収体と、前記下層吸収体の肌側に隣接して配置された上層吸収体とからなり、
前記上層吸収体が、吸収性物品の幅方向中央で幅方向に離隔して左右にそれぞれ長手方向に沿って配置され、前記凹溝の両側部が前記上層吸収体によって形成されるとともに、前記凹溝の底部が前記下層吸収体によって形成されている請求項１記載の吸収性物品。
【請求項３】
前記凹溝変形抑制シートは、前記吸収体を囲繞するコアラップシートからなる請求項１、２いずれかに記載の吸収性物品。
【請求項４】
前記凹溝変形抑制シートは、前記吸収体を囲繞するコアラップシートの内側に配設された親水性の液透過性シートからなる請求項１、２いずれかに記載の吸収性物品。
【請求項５】
前記凹溝変形抑制シートは、吸収体の全長に亘って配設されるか、着用者の股間部に対応する長手区間にのみ配設され、その前後部には配設されていない請求項４記載の吸収性物品。
【請求項６】
前記側面接着剤層は、着用者の股間部に対応する長手区間にのみ設けられ、その前後部には設けられていない請求項１〜５いずれかに記載の吸収性物品。
【請求項７】
着用者の股間部に対応する長手区間に、前記凹溝変形抑制シートと前記吸収体の肌側面とを接合する上面接着剤層が設けられ、
前記上面接着剤層は、所定の領域に接着剤が間欠塗布されて成るとともに、前記吸収体の幅方向端部に塗布された接着剤の塗布面積比率より、前記凹溝近傍に塗布された接着剤の塗布面積比率の方が高く設定されている請求項１〜６いずれかに記載の吸収性物品。
【請求項８】
前記ポリマー無配置領域は、前記吸収体の全長に亘って設けられるか、着用者の股間部に対応する長手区間にのみ設けられ、その前後部には設けられていない請求項１〜７いずれかに記載の吸収性物品。
【発明の詳細な説明】
【技術分野】
【０００１】
本発明は、主には尿とりパッド、失禁パッド、使い捨ておむつ、生理用ナプキン、おりものシート等の吸収性物品に係り、特に吸収体の肌側面に吸収性物品の長手方向に延びる凹溝が形成された吸収性物品に関する。
【背景技術】
【０００２】
従来より、前記吸収性物品として、ポリエチレンシートまたはポリエチレンシートラミネート不織布などの防漏シートと、不織布または透液性プラスチックシートなどの透液性表面シートとの間に綿状パルプ及び高吸水性ポリマー等からなる吸収体を介在したものが知られている。
【０００３】
この種の吸収性物品にも幾多の改良が重ねられ、体液の吸収スピードを速めるため、吸収体の肌側面に長手方向に延びる凹溝を形成したものが種々提案されている。例えば、下記特許文献１では、吸収層の配置された領域が、高吸収性ポリマー粒子の存在する分布域と、高吸収性ポリマー粒子の存在しない非分布域とに区分され、圧搾条溝が前記非分布域に形成されており、前記非分布域が前記圧搾条溝の周縁部から外方へ延在している吸収性物品が開示されている。
【０００４】
また、下記特許文献２では、吸収体が、透液性表面シート側の面に、吸収性物品の長手方向に沿うとともに体液排出部位を含む長手方向範囲に亘って、圧搾によることなく凹溝状又はスリット状に形成された吸収体凹部を備え、透液性表面シートの表面側からのエンボスにより、吸収体凹部の内部に吸収体凹部に沿って、吸収体凹部の溝幅より小さなエンボス幅で付与されたエンボス部が設けられている吸収性物品が開示されている。
【先行技術文献】
【特許文献】
【０００５】
【特許文献１】特開２０１０−６８９５４号公報
【特許文献２】特開２０１５−４７４３２号公報
【発明の概要】
【発明が解決しようとする課題】
【０００６】
しかしながら、上記特許文献１記載の吸収性物品では、圧搾条溝の周辺に高吸収性ポリマー粒子が存在しないため、圧搾条溝を通じて吸収体に吸収された体液が高吸収性ポリマー粒子に吸収保持されにくく、非分布域の吸収体の繊維間に残った体液が逆戻りするおそれがあった。
【０００７】
また、上記特許文献２記載の吸収性物品では、吸収体凹部の周囲にポリマーが存在するため、繰り返し体液を吸収することで、周囲のポリマーが膨潤し、吸収体凹部の側面や底面が吸収体凹部の空間内部に向けて膨出し、吸収体凹部が潰れて、吸収体凹部の内部に体液を貯留できずに体液の溢れ漏れを生じるおそれがあった。
【０００８】
このようなポリマーの膨潤による凹溝の潰れを防止するため、凹溝の側面及び底面に沿ってコアラップシートを配設する技術がある。かかる技術は、凹溝の周囲に存在するポリマーが吸水して膨潤しても、コアラップシートの張力によって側面や底面が凹溝内に膨出するのを防止し、凹溝を潰れにくくするというものである。ところが、前記吸収体が上層吸収体と下層吸収体の２層からなり、前記上層吸収体の幅方向中央に長手方向に延びるスリット又は開孔を設けることにより凹溝が形成され、前記上層吸収体及び下層吸収体をそれぞれコアラップシートで被包した吸収体を備えた吸収性物品の場合、凹溝の底部にコアラップシートが複数積層されることとなるため、このコアラップシートに吸収された体液が逆戻りすることによって逆戻り量が増大する問題があった。また、複数積層されたコアラップシートの張力によって、凹溝の底部（下層吸収体）が凹溝内に向けて上方に膨出するのが抑えられるが、凹溝の側部（上層吸収体）が凹溝内に向けて側方に膨出するのは充分に抑えることができず、凹溝の幅が狭まることで、吸収量が低下する問題があった。
【０００９】
そこで本発明の主たる課題は、吸収体の肌側面に長手方向に延びる凹溝が形成された吸収性物品において、繰り返し体液を吸収しても凹溝の形状を維持して、逆戻りを抑えた吸収性物品を提供することにある。
【課題を解決するための手段】
【００１０】
上記課題を解決するために請求項１に係る本発明として、吸収体を備えた吸収性物品であって、
前記吸収体の肌側面に吸収性物品の長手方向に延びる凹溝が形成されるとともに、前記凹溝内の側面及び底面に沿って、親水性の液透過性シートからなる凹溝変形抑制シートが配設されており、
少なくとも着用者の股間部に対応する領域において、前記凹溝変形抑制シートと前記凹溝の側面とを接合する側面接着剤層が設けられるとともに、前記凹溝変形抑制シートと前記凹溝の底面とを接合する底面接着剤層が設けられ、前記側面接着剤層は所定の領域に接着剤が全面塗布されて成るとともに、前記底面接着剤層は所定の領域に接着剤が間欠塗布されて成り、
少なくとも着用者の股間部に対応する領域において、前記凹溝の底部の吸収体が、高吸水性ポリマーの存在しないポリマー無配置領域とされていることを特徴とする吸収性物品が提供される。
【００１１】
上記請求項１記載の発明では、吸収体の肌側面に吸収性物品の長手方向に延びる凹溝が形成された吸収性物品において、前記凹溝内の側面及び底面に沿って、親水性の液透過性シートからなる凹溝変形抑制シートが配設されている。前記凹溝変形抑制シートは、少なくとも着用者の股間部に対応する領域において、前記凹溝の側面及び底面に対してそれぞれ、側面接着剤層及び底面接着剤層によって接合されている。前記側面接着剤層は、所定領域に接着剤が全面塗布されて成り、前記底面接着剤層は、所定領域に接着剤が間欠塗布されて成るものである。このため、凹溝内に流入した体液は、接着剤層の液不透過性により接着剤が全面塗布された凹溝の側面からは通液しにくく、接着剤が間欠塗布された凹溝の底面を通じて吸収体に移行するようになる。このため、繰り返し体液を吸収しても、凹溝の側部に存在する吸収体の高吸水性ポリマーが吸水して膨潤することにより凹溝の側面が膨出して凹溝の幅が狭くなるのが防止でき、凹溝の形状が維持できる。
【００１２】
また、凹溝の底部の吸収体が、ポリマー無配置領域となっているため、前記凹溝の底面を通じて吸収体に移行した体液が、このポリマー無配置領域に沿って前後方向に拡散しやすくなっている。これによって、繰り返し体液を吸収しても凹溝内に体液が溢れるのが防止できるとともに、体液の逆戻りを抑えることができるようになる。
【００１３】
更に、凹溝の側面及び底面に沿って凹溝変形抑制シートが接合されているため、凹溝の底部を通って吸収体に吸収された体液が凹溝の両側部に拡散し、凹溝の両側部に配設された高吸水性ポリマーが吸水して膨潤した場合でも、前記凹溝変形抑制シートの張力によって、凹溝の両側部が凹溝内に膨出するのが防止でき、凹溝の形状が維持できるようになる。
【００１４】
請求項２に係る本発明として、前記吸収体が、下層吸収体と、前記下層吸収体の肌側に隣接して配置された上層吸収体とからなり、
前記上層吸収体が、吸収性物品の幅方向中央で幅方向に離隔して左右にそれぞれ長手方向に沿って配置され、前記凹溝の両側部が前記上層吸収体によって形成されるとともに、前記凹溝の底部が前記下層吸収体によって形成されている請求項１記載の吸収性物品が提供される。
【００１５】
上記請求項２記載の発明では、前記吸収体が下層吸収体と上層吸収体とからなる２層構造を成しており、前記上層吸収体が、吸収性物品の幅方向中央で幅方向に離隔して左右にそれぞれ長手方向に沿って配置されている。これによって、前記凹溝が吸収性物品のほぼ全長に亘って形成される。このとき、前記凹溝の両側部は前記上層吸収体によって形成されるとともに、前記凹溝の底部は前記下層吸収体によって形成されるようになる。前記吸収体を２層構造とすることによって、凹溝が簡単に形成できるとともに、前記下層吸収体の凹溝の底部に対応する部分に前記ポリマー無配置領域を簡単に形成できるようになる。
【００１６】
請求項３に係る本発明として、前記凹溝変形抑制シートは、前記吸収体を囲繞するコアラップシートからなる請求項１、２いずれかに記載の吸収性物品が提供される。
【００１７】
上記請求項３記載の発明では、前記凹溝変形抑制シートとして、吸収体を囲繞するコアラップシートを用いているため、シートを別途設ける必要がなく、吸収性物品の厚みを薄くできるとともに、資材コストを抑えることができるようになる。
【００１８】
請求項４に係る本発明として、前記凹溝変形抑制シートは、前記吸収体を囲繞するコアラップシートの内側に配設された親水性の液透過性シートからなる請求項１、２いずれかに記載の吸収性物品が提供される。
【００１９】
上記請求項４記載の発明では、前記凹溝変形抑制シートとして、吸収体を囲繞するコアラップシートとは別に、親水性の液透過性シートを用いている。これによって、前記凹溝変形抑制シートとして、凹溝の変形を抑制しやすくした構成のシートを用いることができ、より確実に凹溝の変形が防止できるようになる。
【００２０】
請求項５に係る本発明として、前記凹溝変形抑制シートは、吸収体の全長に亘って配設されるか、着用者の股間部に対応する長手区間にのみ配設され、その前後部には配設されていない請求項４記載の吸収性物品が提供される。
【００２１】
上記請求項５記載の発明では、前記凹溝変形抑制シートとして、コアラップシートとは別に親水性の液透過性シートを配設した場合において、前記凹溝変形抑制シートを吸収体の全長に亘って配設するか、着用者の股間部に対応する長手区間にのみ配設し、その前後部には配設しないようにしている。前記凹溝変形抑制シートを吸収体の全長に亘って配設した場合には、吸収体の全長に亘って凹溝の形状が維持でき、体液をより確実に素早く吸収できるようになる。一方、着用者の股間部に対応する長手区間にのみ配設した場合には、資材コストを低減しつつ、股間部における凹溝の変形が防止できるようになる。
【００２２】
請求項６に係る本発明として、前記側面接着剤層は、着用者の股間部に対応する長手区間にのみ設けられ、その前後部には設けられていない請求項１〜５いずれかに記載の吸収性物品が提供される。
【００２３】
上記請求項６記載の発明では、凹溝の側面からの体液の浸透を抑制するための側面接着剤層を、着用者の股間部に対応する長手区間にのみ設け、その前後部には設けないようにしているため、繰り返し体液を吸収して凹溝に大量の体液が流れ込んだ場合でも、体液が股間部より前後方向に流れることにより、この前後部において凹溝の側面からも吸収体に移行でき、凹溝から体液が溢れて漏れるのが防止できる。
【００２４】
請求項７に係る本発明として、着用者の股間部に対応する長手区間に、前記凹溝変形抑制シートと前記吸収体の肌側面とを接合する上面接着剤層が設けられ、
前記上面接着剤層は、所定の領域に接着剤が間欠塗布されて成るとともに、前記吸収体の幅方向端部に塗布された接着剤の塗布面積比率より、前記凹溝近傍に塗布された接着剤の塗布面積比率の方が高く設定されている請求項１〜６いずれかに記載の吸収性物品が提供される。
【００２５】
上記請求項７記載の発明では、着用者の股間部に対応する長手区間に、前記凹溝変形抑制シートと吸収体の肌側面とを接合する上面接着剤層が設けられている。この上面接着剤層は、所定の領域に接着剤が間欠塗布されて成り、吸収体の幅方向端部より凹溝近傍の方が、接着剤の塗布面積比率が相対的に高くなっている。このため、吸収体の肌側面では、凹溝近傍において体液の浸透が低減され、凹溝の側部の上層吸収体が吸水して膨潤することにより凹溝の側面が膨出して断面形状が狭くなるのが防止できる。
【００２６】
請求項８に係る本発明として、前記ポリマー無配置領域は、前記吸収体の全長に亘って設けられるか、着用者の股間部に対応する長手区間にのみ設けられ、その前後部には設けられていない請求項１〜７いずれかに記載の吸収性物品が提供される。
【００２７】
上記請求項８記載の発明では、ポリマー無配置領域を吸収体の全長に亘って設けた場合には、股間部における凹溝の底面を通じて吸収体に吸収された体液が、ポリマー無配置領域に沿って広い範囲に拡散しやすくなり、体液が素早く吸収できるようになる。また、ポリマー無配置領域を着用者の股間部に対応する長手区間にのみ設けた場合には、この領域より前後部に拡散した体液が、そこに配置された高吸水性ポリマーに吸収・保持され、逆戻りが防止できるとともに、長手方向端部からの漏れが防止できるようになる。
【発明の効果】
【００２８】
以上詳説のとおり本発明によれば、繰り返し体液を吸収しても凹溝の形状が維持でき、逆戻りが抑えられるようになる。
【図面の簡単な説明】
【００２９】
【図１】本発明に係る尿とりパッド１の一部破断展開図である。
【図２】図１のII−II線矢視図である。
【図３】図１のIII−III線矢視図である。
【図４】変形例に係るコアラップシート９で囲繞された吸収体４の平面図である。
【図５】図４のV−V線矢視図である。
【図６】図４のVI−VI線矢視図である。
【図７】変形例に係るコアラップシート９で囲繞された吸収体４の平面図である。
【図８】図７のVIII−VIII線矢視図である。
【図９】図７のIX−IX線矢視図である。
【図１０】変形例に係るコアラップシート９で囲繞された吸収体４の股間部における断面図である。
【図１１】変形例に係るコアラップシート９で囲繞された吸収体４の股間部における断面図である。
【図１２】変形例に係るコアラップシート９で囲繞された吸収体４の平面図である。
【発明を実施するための形態】
【００３０】
以下、本発明の実施の形態について図面を参照しながら詳述する。
【００３１】
〔尿とりパッドの基本構造の一例〕
本発明に係る尿とりパッド１は、図１〜図３に示されるように、ポリエチレンシートなどからなる防漏シート２と、肌当接面をなし、尿などを速やかに透過させる表面シート３と、これら両シート２、３間に介装された吸収体４と、尿とりパッド１の最外面（非肌当接面）を覆う外装シート５と、前記吸収体４の略側縁部を起立基端とし、かつ少なくとも着用者の排尿口部を含む前後方向の所定の区間内において肌側に突出して設けられた左右一対の立体ギャザーＢＳ、ＢＳを形成するサイドシート６、６とから主に構成され、かつ吸収体４の周囲においては、その上下端縁部では防漏シート２、表面シート３及び外装シート５の外縁部がホットメルトなどの接着剤やヒートシール、超音波シール等の接合手段によって接合され、またその両側縁部では吸収体４よりも側方に延出している防漏シート２、表面シート３、外装シート５及びサイドシート６がホットメルトなどの接着剤やヒートシール、超音波シール等の接合手段によって接合されている。
【００３２】
前記防漏シート２は、ポリエチレン等の少なくとも遮水性を有するシート材が用いられるが、近年ではムレ防止の観点から透湿性を有するものが用いられる傾向にある。この遮水・透湿性シート材としては、ポリエチレンやポリプロピレン等のオレフィン系樹脂中に無機充填剤を溶融混練してシートを成形した後、一軸または二軸方向に延伸することにより得られる微多孔性シートが好適に用いられる。前記防漏シート２としては、プラスチックフィルムと不織布とを積層させたポリラミ不織布を用いてもよい。
【００３３】
次いで、前記表面シート３は、有孔または無孔の不織布や多孔性プラスチックシートなどが好適に用いられる。不織布を構成する素材繊維としては、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高で圧縮復元性が高い点で優れている。前記表面シート３に多数の透孔を形成した場合には、体液が速やかに吸収されるようになり、ドライタッチ性に優れたものとなる。不織布の繊維は、長繊維または短繊維のいずれでもよいが、好ましくはタオル地の風合いを出すため短繊維を使用するのがよい。また、エンボス処理を容易とするために、比較的低融点のポリエチレンまたはポリプロピレン等のオレフィン系繊維のものを用いるのがよい。また、融点の高い繊維を芯とし融点の低い繊維を鞘とした芯鞘型繊維やサイド−バイ−サイド型繊維、分割型繊維の複合繊維を好適に用いることもできる。
【００３４】
外装シート５は、防漏シート２を覆って尿とりパッド１の外面を布のような外観、肌触りとするものである。外装シート５としては、不織布で形成するのが好ましい。素材繊維は、ポリエチレンまたはポリプロピレン等のオレフィン系、ポリエステル系、ポリアミド系等の合成繊維の他、レーヨンやキュプラ等の再生繊維、綿等の天然繊維を用いることができ、加工法は、スパンレース法、スパンボンド法、サーマルボンド法、エアスルー法、ニードルパンチ法等を用いて製作することができる。但し、肌触り及び強度を両立できる点でスパンボンド不織布やＳＭＳ不織布、ＳＭＭＳ不織布等の長繊維不織布が好ましい。
不織布は一枚で使用する他、複数枚を重ねて使用することもでき、複数枚を重ねて使用する場合は、不織布相互をホットメルト等の接着剤を介して固定するのが好ましい。また、不織布を用いる場合は、その繊維目付けは１０〜５０ｇ／ｍ２、特に１５〜３０ｇ／ｍ２が好ましい。
【００３５】
前記外装シート５の非使用面側（外面）には１または複数条の仮止め層（図示せず）が形成され、身体への装着時に尿とりパッド１を下着や紙おむつ等に固定するようにしてもよい。前記仮止め層としては、機械接合式のフック材を用いてもよいし、粘着剤を用いてもよい。前記仮止め層は必要に応じて設けられ、特段設けなくてもよい。
【００３６】
図示例では、外装シート５は吸収体４の幅よりも若干幅が広い程度とされ、両側部が防漏シート２及び表面シート３の側縁を巻き込むようにして表面シート３の肌側にまで延在され、表面シート３の幅方向外側は、この肌側に延在する外装シート５の外面側に表面シート３の両側部表面から延在するサイドシート６、具体的には尿等が浸透するのを防止する、あるいは肌触り感を高めるなどの目的に応じて、適宜の撥水処理または親水処理を施した不織布素材を用いて構成されたサイドシート６が配設されている。かかるサイドシート６としては、天然繊維、合成繊維または再生繊維などを素材として、適宜の加工法によって形成されたものを使用することができるが、好ましくはゴワ付き感を無くすとともに、ムレを防止するために、坪量を抑えて通気性を持たせた不織布を用いるのがよい。具体的には、坪量を８〜２３ｇ／ｍ２として作製された不織布を用いるのが望ましく、かつ体液の透過を確実に防止するためにシリコン系、パラフィン系、アルキルクロミッククロリド系撥水剤などをコーティングした撥水処理不織布が好適に使用される。
【００３７】
前記サイドシート６の内方側部分はほぼ二重に折り返されるとともに、この二重シート内部に、その高さ方向中間部に１又は複数本の、図示例では３本の糸状弾性伸縮部材７、７…が両端または長手方向の適宜の位置が固定された状態で配設されている。この二重シート部分は前後端部では図３に示されるように、外側に１回折り返して積層された状態で吸収体４側に接着されることによって、少なくとも着用者の排尿口部を含む前後方向の所定の区間内において図２に示されるように、肌側に起立する立体ギャザーＢＳ、ＢＳが左右対で形成されている。
【００３８】
〔吸収体〕
前記吸収体４は、下層吸収体４Ａと、この下層吸収体４Ａの肌側に隣接して配置された上層吸収体４Ｂとで構成された２層構造を成している。
【００３９】
前記下層吸収体４Ａ及び上層吸収体４Ｂはそれぞれ、たとえば綿状パルプに高吸水性ポリマーを混合して積繊したものである。前記高吸水性ポリマーは吸収体４を構成するパルプ中に、例えば粒状粉として混入されている。前記パルプとしては、木材から得られる化学パルプ、溶解パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。ただし、後段で詳述するように、下層吸収体４Ａの所定の部分には、前記高吸水性ポリマーが混入されず、綿状パルプのみで構成されている。
【００４０】
また、前記下層吸収体４Ａ及び上層吸収体４Ｂにはそれぞれ合成繊維を混合しても良い。前記合成繊維は、例えばポリエチレン又はポリプロピレン等のポリオレフィン系、ポリエチレンテレフタレートやポリブチレンテレフタレート等のポリエステル系、ナイロンなどのポリアミド系、及びこれらの共重合体などを使用することができるし、これら２種を混合したものであってもよい。また、融点の高い繊維を芯とし融点の低い繊維を鞘とした芯鞘型繊維やサイド−バイ−サイド型繊維、分割型繊維などの複合繊維も用いることができる。前記合成繊維は、体液に対する親和性を有するように、疎水性繊維の場合には親水化剤によって表面処理したものを用いるのが望ましい。
【００４１】
前記高吸水性ポリマーは、「粒子」以外に「粉体」も含む。高吸水性ポリマーは、この種の吸収性物品に使用される粒径のものをそのまま使用でき、平均粒径が１０００μｍ以下、好ましくは未吸収時の粒径が１０６μｍ以上のものが全体の９９重量％以上、特に１５０〜８５０μｍのものが全体の９９重量％以上であるのが望ましい。未吸収時の平均粒径は２５０〜５００μｍ程度であるのが好ましい。また、高吸水性ポリマーは吸収後の平均粒径が未吸収時の平均粒径の３倍以上、具体的には５００μｍ以上であることが望ましい。なお、未吸収時の高吸水性ポリマーの平均粒径は、重量基準粒度分布における積算値５０％での粒径を意味する。この場合における重量基準粒度分布は、ＪＩＳＺ８８１５−１９９４に準拠して測定される。すなわち、内径１５０ｍｍ、深さ４５ｍｍの７１０μｍ、５００μｍ、３００μｍ、１５０μｍ及び１０６μｍの目開きのふるいを、目開きの狭いふるいを下にして重ね、一番上の最も目開きの広い７１０μｍのふるいの上に、測定試料５０ｇを入れ、ふるい振動機にて１０分間ふるい、各ふるいの上に残った測定試料の重量を測定し、最初の測定試料の重量に基づく各ふるいの上に残った測定試料の重量％を求めることによって測定される。
高吸水性ポリマーの目付け量は、当該吸収体４の用途で要求される吸収量に応じて適宜定めることができる。したがって一概にはいえないが、５０〜３５０ｇ／ｍ２とすることができる。ポリマーの目付け量が５０ｇ／ｍ２未満では、吸収量を確保し難くなる。３５０ｇ／ｍ２を超えると、効果が飽和するばかりでなく、高吸水性ポリマーの過剰によりジャリジャリした違和感を与えるようになる。このポリマーの目付量は、後段で詳述するポリマー無配置領域１４を除いた領域の目付量である。
【００４２】
前記下層吸収体４Ａ及び上層吸収体４Ｂはそれぞれ、パルプおよび高吸水性ポリマーの合計重量に対する高吸水性ポリマーの比率が５〜９０重量％、特に３０〜７０重量％であるのが好ましい。高吸水性ポリマーの比率が５重量％より小さいと、吸水能力が不足するおそれがある。一方、９０重量％より大きいと、高吸水性ポリマーのジャリ感（粒子感）が強く感じられ、使用感が低下する。
【００４３】
前記下層吸収体４Ａの厚みは、１〜１０ｍｍが好ましく、前記上層吸収体４Ｂの厚みは、５〜１０ｍｍが好ましい。前記厚みは、株式会社尾崎製作所製の定圧厚み測定器デジタルタイプＦＦＤ−７によって測定することができる。
【００４４】
前記吸収体４は、形状保持および拡散性向上のために、前記吸収体４の少なくとも肌側面及び非肌側面を、クレープ紙又は不織布などからなるコアラップシート９で覆うのが好ましい。吸収体４を覆うコアラップシート９を設ける場合には、結果的に表面シート３と吸収体４との間にコアラップシート９が介在することになり、前記コアラップシート９がクレープ紙からなる場合には、吸収性に優れる前記コアラップシート９によって体液を速やかに拡散させるとともに、吸収体４に吸収した体液の逆戻りを防止するようになる。前記コアラップシート９は、下層吸収体４Ａ及び上層吸収体４Ｂを積層した状態で、これらを一体的に囲繞している。
【００４５】
前記吸収体４の両側部には幅方向内側に膨出する曲線形状からなる脚周りカットライン８、８を形成するのが好ましい。前記脚周りカットライン８、８を設けることにより、装着時における脚周りへのフィット性が良好となり、体液の漏れが防止できるとともに、ゴワ付き感が軽減して装着感が向上する。前記脚周りカットライン８、８の長手方向の位置は任意であるが、図１に示されるように、長手方向の中央部に設けるのが好ましい。また、曲線の形状も任意であり、図示例では、円弧状に形成されている。
【００４６】
前記上層吸収体４Ｂは、幅方向端縁の外形線を、下層吸収体４Ａの幅方向端縁の外形線とほぼ一致する位置まで延在させてもよいが、図１〜図３に示されるように、下層吸収体４Ａの幅方向端縁より内側に位置するように配置するのが好ましい。すなわち、上層吸収体４Ｂの方が下層吸収体４Ａより幅狭に形成するのがよい。具体的には、前記脚周りカットライン８を下層吸収体４Ａのみに形成し、この下層吸収体４Ａの脚周りカットライン８が最も内側に膨出する部分より幅方向内側に、前記上層吸収体４Ｂを配置するのが好ましく、特に上層吸収体４Ｂの幅方向端縁の外形線が尿とりパッド１の長手方向に直線的に延びる形状で形成され、この上層吸収体４Ｂの幅方向端縁の外形線を、下層吸収体４Ａの脚周りカットライン８の内側への最膨出部とほぼ一致する位置に配置するのが好ましい。これにより、吸収体４の両側部にそれぞれ、上層吸収体４Ｂが配置されず下層吸収体４Ａのみからなる薄肉の部分が長手方向に沿って形成されるようになり、脚周りの違和感が軽減し、装着感を良好にすることができる。
【００４７】
〔凹溝〕
前記吸収体４の肌側面には、非肌側に窪むとともに、尿とりパッド１の長手方向に延びる凹溝１０が形成されている。また、前記凹溝１０内の側面及び底面に沿って、親水性の液透過性シートからなる凹溝変形抑制シート１１が配設されている。
【００４８】
前記上層吸収体４Ｂは、図１に示されるように、尿とりパッド１の幅方向中央で幅方向に離隔して左右にそれぞれ長手方向に沿って配置されている。つまり、前記上層吸収体４Ｂは、左右に離隔してそれぞれ長手方向に沿って配設された２条の帯状部材からなり、下層吸収体４Ａの幅方向中央で所定の幅で左右に離隔して配置されている。一方、下層吸収体４Ａは、尿とりパッド１のほぼ全体に亘ってほぼ均等な厚みで設けられている。
【００４９】
この左右の上層吸収体４Ｂ、４Ｂの離隔部によって、尿とりパッド１の幅方向中央部に長手方向に延びるとともに、非肌側に窪む略長方形状の断面形状からなる凹溝１０が形成されている。このため、前記凹溝１０は、吸収体４の長手方向の全長に亘って形成されるようになる。このように、前記凹溝１０は、圧搾によることなく、上層吸収体４Ｂを幅方向に離隔して配置することにより形成されているため、凹溝１０の底部や側部で綿状パルプが圧密化されることなく他の領域とほぼ同等の密度を有している。
【００５０】
前記凹溝１０の両側部は、左右の上層吸収体４Ｂ、４Ｂによって構成され、前記凹溝１０の底部は、左右の上層吸収体４Ｂ、４Ｂの離隔部から臨む下層吸収体４Ａによって構成されている。
【００５１】
また、図示しないが、前記上層吸収体４Ｂは、幅方向中央で幅方向に離隔して配置された２条の帯状部材からなる構成に代えて、連続する１枚のシート部材からなり、幅方向中央に長手方向に延びる、表裏を貫通するスリット又は開口が、長手方向中間部に設けられる構成としてもよい。これによって、前記凹溝１０は、吸収体４の長手方向端縁まで達しない長手方向の中間部に形成されるようになる。
【００５２】
前記凹溝１０の寸法としては、図１及び図２に示されるように、幅Ａが、１０〜３０ｍｍとするのが好ましく、深さＢが５〜１０ｍｍとするのが好ましい。前記深さＢは、前記上層吸収体４Ｂの厚みとほぼ同等である。
【００５３】
前記凹溝変形抑制シート１１は、前記凹溝１０において、各上層吸収体４Ｂ、４Ｂの側面、及び前記上層吸収体４Ｂ、４Ｂの離隔部から臨む下層吸収体４Ａの上面に沿って配設されている。すなわち、図２及び図３に示される断面視において、凹溝変形抑制シート１１は、凹溝１０の非肌側に窪む窪み形状に沿って配設されている。
【００５４】
前記凹溝変形抑制シート１１は、少なくとも着用者の股間部に対応する領域において、所定の領域に接着剤が全面塗布された側面接着剤層１２によって上層吸収体４Ｂの側面と接合されるとともに、所定の領域に接着剤が間欠塗布された底面接着剤層１３によって下層吸収体４Ａの上面と接合されている。前記着用者の股間部に対応する領域とは、着用者の排尿口部を含む長手区間であって、尿とりパッド１の長手方向中央部を含むとともに、吸収体４の両側部に形成された脚周りカットライン８、８を含む長手区間である。
【００５５】
前記側面接着剤層１２は、ホットメルト接着剤などの接着剤がスプレー塗工、ロール塗工などによって、所定の領域にほぼ隙間なく全面塗布されてなるものである。したがって、この側面接着剤層１２が設けられた凹溝１０の側面は、接着剤の液不透過性により、体液が透過できないようになっている。
【００５６】
前記側面接着剤層１２は、少なくとも着用者の股間部に対応する長手区間に設けられている。前記側面接着剤層１２は、着用者の股間部に対応する長手区間のみに設け、その前後部には設けないようにしてもよいし、凹溝１０の全長に亘って設けてもよい。図１に示される実施形態例では、前記側面接着剤層１２が凹溝１０の全長に亘って設けられており、具体的には、図中のＸ１の区間であって、凹溝１０が吸収体４の全長に亘って設けられているため、側面接着剤層１２も吸収体４の全長に亘って設けられている。
【００５７】
前記底面接着剤層１３は、ホットメルト接着剤などの接着剤がスパイラル塗工、線状塗工、ドット塗工などによって、所定の領域に塗布部と非塗布部とが混在してなるものである。したがって、この底面接着剤層１３が設けられた凹溝１０の底面では、前記塗布部では接着剤の液不透過性により体液の透過が妨げられるため、前記非塗布部を通じて体液が透過するようになっている。
【００５８】
前記底面接着剤層１３は、凹溝１０の全長に亘って設けるのが好ましい。図１に示される実施形態例では、凹溝１０が吸収体４の全長に亘って設けられているため、底面接着剤層１３も吸収体４の全長に亘って設けられている。少なくとも底面接着剤層１３が凹溝１０の全長に亘って設けられていれば、凹溝変形抑制シート１１が凹溝１０の全長に亘って側面及び底面に沿って配置された状態が維持できるようになる。
【００５９】
更に、本尿とりパッド１では、図２及び図３に示されるように、少なくとも着用者の股間部に対応する領域において、前記凹溝１０の底部の吸収体４（下層吸収体４Ａ）が、高吸水性ポリマーの存在しないポリマー無配置領域１４とされている。前記ポリマー無配置領域１４は、下層吸収体４Ａのうち、凹溝１０の底部に存在する部分に設けられている。前記ポリマー無配置領域１４では、綿状パルプのみで構成され、高吸水性ポリマーが存在していない。高吸水性ポリマーが存在しないとは、高吸水性ポリマーが全く存在しないか、それ以外の領域と比較して極端に小さな割合、例えば１／１０以下、好ましくは１／２０以下で存在している場合も含む概念である。前記ポリマー無配置領域１４の幅は、前記凹溝１０の幅とほぼ同等又は若干幅広とするのが好ましく、具体的には、凹溝１０の幅に対して、１〜１．３倍程度の幅で形成するのがよい。高さは下層吸収体４Ａの厚み全体に形成するのがよい。
【００６０】
前記ポリマー無配置領域１４は、少なくとも着用者の股間部に対応する長手区間に形成されていればよいが、股間部に対応する長手区間より長い区間に形成するのが好ましく、吸収体４の全長に亘って形成するのがより好ましい。
【００６１】
前記ポリマー無配置領域１４は、下層吸収体４Ａのうち凹溝１０の底部に対応する部分のみに設けられ、前記ポリマー無配置領域１４の両側には、高吸水性ポリマーを配置するのが好ましい。これにより、体液がポリマー無配置領域１４に沿って拡散する過程で、幅方向にも拡散して、随時両側に存在する高吸水性ポリマーに吸水・保持されるようになる。
【００６２】
このように、本尿とりパッド１では、凹溝１０の側面に設けられた側面接着剤層１２が所定領域に接着剤を全面塗布してなるため、凹溝１０に流入した体液が、凹溝１０の側面からは吸収体４に移行しにくく、接着剤が間欠塗布された凹溝１０の底面を通じて吸収体４に移行するようになる。このため、繰り返し体液を吸収しても、凹溝１０の側部に存在する吸収体４の高吸水性ポリマーが吸水して膨潤することにより、凹溝１０の側面が膨出して凹溝１０の幅が狭くなるのが防止でき、凹溝１０の形状が維持できる。
【００６３】
また、凹溝１０の底部の吸収体４（下層吸収体４Ａ）が、ポリマー無配置領域１４となっているため、前記凹溝１０の底面を通じて吸収体４に移行した体液が、前記ポリマー無配置領域１４に沿って前後方向に拡散しやすくなっている。これによって、繰り返し体液を吸収しても凹溝１０に体液が溢れるのが防止できるとともに、体液の逆戻りを抑えることができるようになる。
【００６４】
更に、前記凹溝１０は、吸収体４の圧搾によって形成したものではなく、吸収体４を配置しない部分を設けることにより形成したものであるため、凹溝１０の底部が圧縮されて圧密化されておらず、凹溝１０内に流入した体液が凹溝１０の底部に存在する吸収体４に浸透しやすくなっている。
【００６５】
また、上記形態例では、吸収体４が下層吸収体４Ａと上層吸収体４Ｂの２層構造からなるため、上層吸収体４Ｂを幅方向に離隔して左右にそれぞれ長手方向に沿って配置することにより前記凹溝１０を簡単に形成することができるとともに、下層吸収体４Ａを積繊する際に、凹溝１０の底部に相当する部分の綿状パルプに高吸水性ポリマーを混入しないことにより、前記ポリマー無配置領域１４を簡単に形成することができるようになる。
【００６６】
図１〜図３に示される実施形態例では、前記凹溝１０を覆う凹溝変形抑制シート１１は、吸収体４を囲繞するコアラップシート９によって構成されている。このように、コアラップシート９が凹溝変形抑制シート１１を兼用することによって、シートを別途設ける必要がなく、尿とりパッド１の厚みを薄くできるとともに、資材コストを抑えることができるようになる。このとき、前記コアラップシート９として、クレープ紙では凹溝１０の側部や底部が膨出した際に、膨出を抑制するのに充分な張力がないため、親水性の不織布を用いるのが好ましい。
【００６７】
また、他の実施形態例として、図４〜図６に示されるように、前記凹溝変形抑制シート１１は、吸収体４を囲繞するコアラップシート９とは別に、親水性の液透過性シートを用いることができる。前記凹溝変形抑制シート１１は、凹溝１０の両側に延在する上層吸収体４Ｂが配置された幅内に設けるのが好ましい。また、図４〜図６に示される実施形態例では、前記凹溝変形抑制シート１１は、吸収体４のほぼ全長に亘って配置されている。前記凹溝変形抑制シート１１は、吸収体４を囲繞するコアラップシート９の内側、すなわち吸収体４とコアラップシート９との間に配設されている。前記凹溝変形抑制シート１１は、吸収体４の肌側面、好ましくは上層吸収体４Ｂの肌側面に配設され、吸収体４の側部や非肌側面には配設されていない。前記凹溝変形抑制シート１１は、凹溝１０内において、凹溝１０に沿って配置されるとともに、前記側面接着剤層１２及び底面接着剤層１３によって凹溝１０の側面及び底面に接合されている。一方、コアラップシート９は、吸収体４の肌側面において、凹溝変形抑制シート１１の肌側に隣接して配置されるとともに、凹溝１０において凹溝変形抑制シート１１との間に空間部を形成しながら、凹溝１０の上面に配置されている。このように、凹溝１０の上面にコアラップシート９を配置することにより、凹溝１０内に溜まった体液が表面に逆戻りしにくくなる。
【００６８】
図４〜図６に示される実施形態例では、前記側面接着剤層１２は、着用者の股間部に対応する長手区間Ｘ２のみに設けられ（図５）、その前後部（前記長手区間Ｘ２より長手方向の外方側の区間）には設けられていない（図６）。このように、着用者の股間部に対応する長手区間Ｘ２のみに側面接着剤層１２を設けることにより、少なくとも着用者の股間部に対応する領域において、凹溝１０の側面が膨出するのが抑えられ、繰り返し体液を吸収しても凹溝１０の形状が維持できるようになる。一方、着用者の股間部に対応する長手区間Ｘ２より長手方向の外方側では、凹溝１０内を流れた体液が、凹溝１０の底面及び側面から吸収体４に移行できるため、吸収速度が向上でき、逆戻りが生じにくくなる。
【００６９】
このように、側面接着剤層１２を着用者の股間部に対応する長手区間Ｘ２のみに設ける場合、前記ポリマー無配置領域１４も同様に、着用者の股間部に対応する長手区間Ｘ２のみに設け、その前後部では、前記凹溝１０の底部の吸収体４にも高吸水性ポリマーを配置するのが好ましい。これにより、ポリマー無配置領域１４に沿って長手方向に拡散した体液が、長手方向の端部で高吸水性ポリマーに吸水され保持されるため、長手方向の端部からの漏れが防止できるようになる。
【００７０】
前記凹溝変形抑制シート１１をコアラップシート９とは別のシートで形成する場合において、図７〜図９に示されるように、凹溝変形抑制シート１１は、着用者の股間部に対応する長手区間Ｘ２のみに配置し、その前後部には配置しないようにしてもよい。これにより、着用者の股間部に対応する長手区間Ｘ２における凹溝１０の形状が維持できるようになるとともに、資材コストが低減できる。また、図９に示されるように、前記凹溝変形抑制シート１１の配置領域以外の領域では、凹溝１０に沿ってシートが配置されないため、凹溝１０内に接着剤を塗布する必要がなく、接着剤の使用量も低減できる。
【００７１】
また、他の実施形態例として、図１０に示されるように、少なくとも着用者の股間部に対応する長手区間に、前記凹溝変形抑制シート１１と吸収体４の肌側面とを接合する上面接着剤層１５を設けることができる。前記上面接着剤層１５は、スパイラル塗工、線状塗工、ドット塗工などのように、所定の領域に接着剤の塗布部と非塗布部とが混在する接着剤が間欠塗布されて成るものである。
【００７２】
前記上面接着剤層１５は、単位面積当たりの前記塗布部の面積の割合である接着剤の塗布面積比率が、全面に亘ってほぼ一定としてもよいが、幅方向に異なるようにするのが好ましい。具体的には、吸収体４の幅方向端部に塗布された接着剤の塗布面積比率より、前記凹溝１０の近傍に塗布された接着剤の塗布面積比率の方が高くするのが好ましい。すなわち、吸収体４の平面視で、凹溝１０から離れた位置より凹溝１０の近傍の方が、相対的に接着剤の塗布部の面積割合が大きくなるように形成するのが好ましい。これにより、凹溝１０の近傍において、上層吸収体４Ｂの上面から体液が浸透するのが防止でき、凹溝１０の側部に存在する高吸水性ポリマーが吸水して膨潤することにより、凹溝１０の側面が内側に膨出するのが抑えられる。前記上面接着剤層１５は、凹溝１０近傍における接着剤の塗布面積比率が、５０〜９０％、好ましくは７０〜８０％とするのがよく、吸収体４の幅方向端部における接着剤の塗布面積比率が、５〜４０％、好ましくは１０〜３０％とするのがよい。
【００７３】
また、図１１に示されるように、吸収体４の横断面視で、吸収体４の肌側面を、幅方向両端部から前記凹溝１０に向けて非肌側に傾斜する断面形状で形成するのが好ましい。つまり、幅方向両端部の吸収体４の高さが相対的に高く、前記凹溝１０近傍の吸収体４の高さが相対的に低くなる傾斜状の断面形状で形成するのが好ましい。これにより、吸収体４の肌側面を流れる体液が凹溝１０に流れ込みやすくなり、吸収体４の両側からの漏れが防止できるようになる。
【００７４】
前記吸収体４の平面形状は、図１に示される例では、略長方形で両側部に脚周りカットライン８が形成された形状としたが、図１２に示されるように、略楕円形又は略長円形で両側部に脚周りカットライン８が形成された形状としてもよい。いずれの場合も、長手方向の端部域で吸収体４を幅広の形状にすることによって、この端部域における吸収体４の吸収容量が増大し、より多くの体液が吸収・保持できるようになる。
【００７５】
次いで、尿とりパッド１の製造方法のうち、前記凹溝１０に凹溝変形抑制シート１１を接合する工程について詳細に説明する。その他の工程については、通常の尿とりパッドと同様の方法で製造できる。前記凹溝１０に凹溝変形抑制シート１１を接合するには、吸収体４の凹溝内に直接接着剤を塗布した後、凹溝変形抑制シート１１を配設するか、予め凹溝変形抑制シート１１の所定の領域に接着剤を塗布しておき、これを凹溝に沿って配設することにより行う。
【００７６】
〔他の形態例〕
上記形態例では、吸収体４が下層吸収体４Ａと上層吸収体４Ｂの２層構造で形成されていたが、１層構造としてもよい。１層構造の場合、前記凹溝１０は、長手方向に延びる非積繊部を設けることによって形成できる。
【符号の説明】
【００７７】
１…尿とりパッド、２…防漏シート、３…表面シート、４…吸収体、５…外装シート、６…サイドシート、７…糸状弾性伸縮部材、８…脚周りカットライン、９…コアラップシート、１０…凹溝、１１…凹溝変形抑制シート、１２…側面接着剤層、１３…底面接着剤層、１４…ポリマー無配置領域、１５…上面接着剤層
【図１】
2020044226.tif 000003
【図２】
2020044226.tif 000004
【図３】
2020044226.tif 000005
【図４】
2020044226.tif 000006
【図５】
2020044226.tif 000007
【図６】
2020044226.tif 000008
【図７】
2020044226.tif 000009
【図８】
2020044226.tif 000010
【図９】
2020044226.tif 000011
【図１０】
2020044226.tif 000012
【図１１】
2020044226.tif 000013
【図１２】
2020044226.tif 000014